(57)【要約】  ターゲット装置上でコンテンツページをナビゲートするためのシステム及び方法について開示する。前記ターゲット装置は、コンテンツページよりも通常小さい表示領域を備える。ページ全体を見るためにスクロールバー使用や指操作をユーザにさせるのではなく、複数のフレームに関する予め決められたシーケンスをユーザーに提示する。フレームはページの中から予め選択された部分となっている。ユーザーは、現時点でのフレームを読み終わったり見終わったしたかどうかを単純に伝え、その後に表示領域内に次のフレームが提示される。こうした所定のシーケンスをコンテンツプロバイダーまたは著者が作成し、コンテンツとフレームシーケンスの両方をサーバーにアップロードし、潜在ユーザーは該シーケンスにアクセスすることができる。
2012523042.tif 000002
【特許請求の範囲】
【請求項１】
ターゲット装置の表示領域内に前記表示領域よりも大きい画像を表示する方法であって、前記画像は以下のステップを含む該方法：
ａ．前記画像の一部分を各フレームが含んでいる複数のフレームの予め決められたシーケンスを作成するステップ；
ｂ．前記ターゲット装置の表示領域内に、前記複数フレームのうち第一のフレームを表示するステップ；
ｃ．次に進めるための指示を待機するステップ；
ｄ．前記指示に応答して、前記予め決められたシーケンスのうち、続きのフレームを表示するステップ；及び
ｅ．前記予め決められたシーケンスが完了するまで、前記待機ステップ及び表示ステップを繰り返すステップ。
【請求項２】
前記指示が、前記表示領域をユーザーがタッチすることを含む請求項１に記載の方法。
【請求項３】
前記指示が、所定時間が満了したことを含む請求項１に記載の方法。
【請求項４】
請求項１に記載の方法であって、前記作成するステップが以下のステップを含む該方法：
ｉ．前記表示領域内で閲覧できる前記画像の部分を表すテンプレートを決定するステップ、；
ｉｉ．前記画像の第一部分上に第一のテンプレートを配置するステップ；
ｉｉｉ．前記第一部分を前記シーケンスの一部として保存することを指示するステップ；
ｉｖ．前記画像内の第一部分の場所に関する指示を保存するステップ；及び
ｖ．前記画像の続き部分上に続きのテンプレートを配置するステップ；
ｖｉ．前記続き部分を前記シーケンスの一部として保存することを指示するステップ；
ｖｉｉ．前記画像内の続き部分の場所に関する指示を保存するステップ。
【請求項５】
複数のフレームに関するシーケンスを作成する方法であって、各フレームは画像の一部を含み、ターゲット装置の表示領域内で閲覧するすることを目的とし、以下のステップを含む該方法：
ａ．前記表示領域内で閲覧できる前記画像の部分を表すテンプレートを決定するステップ；
ｂ．前記画像の第一部分上に第一のテンプレートを配置するステップ；
ｃ．前記第一部分を前記シーケンスの一部として保存することを指示するステップ；
ｄ．前記画像内の第一部分の場所に関する指示を保存するステップ；
ｅ．前記画像の続き部分上に続きのテンプレートを配置するステップ；
ｆ．前記続き部分を前記シーケンスの一部として保存することを指示するステップ；
ｇ．前記画像内の続き部分の場所に関する指示を保存するステップ。
【請求項６】
前記続き部分についての配置ステップ・指示ステップ・保存ステップを繰り返す請求項５に記載の方法。
【請求項７】
前記第一のテンプレート及び続きのテンプレートが、前記決定されたテンプレートと同じサイズである請求項５に記載の方法。
【請求項８】
前記第一のテンプレートまたは続きのテンプレートのサイズが、前記配置ステップ前において、前記決定されたテンプレートのサイズと異なっても良い、請求項５に記載の方法。
【請求項９】
前記決定されたテンプレート、前記第一のテンプレート、前記続きのテンプレートが同じアスペクト比を有する、請求項７に記載の方法。
【請求項１０】
前記保存ステップが、使用されるテンプレートのサイズに関する指示を保存することも含む請求項８に記載の方法。
【請求項１１】
場所に関する前記指示が、前記テンプレートの特定の位置の場所を含む請求項５に記載の方法。
【請求項１２】
前記特定の位置が中心点を含む請求項１１に記載の方法。
【請求項１３】
前記サイズに関する指示が前記決定されたテンプレートのサイズに関連する請求項１０に記載の方法。
【請求項１４】
複数のフレームに関する予め決められたシーケンスを作成するためのシステムであって、前記各フレームは画像の一部を含み、前記画像はファイル中に保存され、以下を備える該システム：
非一時的なコンピュータ読み取り可能媒体；並びに
前記媒体に保存されたコンピューター実行可能指示であって、以下の手段を含む指示：
ｉ．      第一及び第二のテンプレートを決定するための手段；
ｉｉ．    前記第一のテンプレートを、前記画像の第一部分上に配置する手段；
ｉｉｉ．  前記画像内の前記第一部分の場所を特定するための手段；
ｉｖ．    前記第一部分の前記場所を保存するための手段；
ｖ．      前記第二のテンプレートを、前記画像の第二部分上に配置する手段；
ｖｉ．    前記画像内の前記第二部分の場所を特定するための手段；
ｖｉｉ．  前記第二部分の前記場所を保存するための手段；
ｖｉｉｉ．前記保存された複数の場所のシーケンスを作成するための手段；及び
ｉｘ．    前記作成されたシーケンスに基づいて、前記画像の部分を繰り返し表示するための手段。
【請求項１５】
前記第一部分の場所と共に、前記第一のテンプレートのサイズを保存するための手段をさらに備える、請求項１４に記載のシステム。
【請求項１６】
前記第一及び第二のテンプレートが同じサイズである請求項１４に記載のシステム。
【請求項１７】
前記第一及び第二のテンプレートが同じアスペクト比である請求項１４に記載のシステム。
【発明の詳細な説明】
【技術分野】
【０００１】
本発明は、米国仮特許出願番号６１／１６６，０９９（出願日２００９年４月２日）の優先権を主張する。そして、該特許文献の開示内容全体を本明細書に組み込む。
【背景技術】
【０００２】
コンピュータモニターの出現以来、ユーザーに情報を表示するための最適な方法についての探索がなされてきた。元来、コンピュータスクリーンには予め決められたの高さと幅があり、従って、閲覧可能な表示領域を超える情報については単純にフレームアウトしてしまっていた。
【０００３】
しかし、その後、スクロールバーという概念が市民権を得た。典型的な設計では、図１に示すように、スクロールボックス（１１０）が表示領域（１００）の右側に配置されている。多くの実施形態では、スクロールボックスには二つの重要な情報が表示されている。また、スクロールボックス（１１０）は、典型的には、アロー（上）（１１１）、アロー（下）（１１２）、及びスクロールサム（１１５）を備えている。（第一の重要な情報として、）前記サムのサイズについては、スクロールボックス（１１０）に対するパーセンテージが、画像全体のうち表示されているパーセンテージを表している。換言すれば、当該例に示すように、サム（１１５）のサイズが、スクロールボックス（１１０）全体に対して凡そ１／３である場合には、表示領域（１００）内において、約１／３の文書が現在閲覧可能となっている。第二の重要な情報として、サム（１１５）の位置は、表示領域（１００）内にあってかつ画像全体の一部である該部分（の位置）をグラフィカルに表している。換言すれば、図１に示すように、サム（１１５）はスクロールボックス（１１０）内の頂部に位置しており、画像の最初の部分が表示されていることを示している。
【０００４】
幾つかの実施形態では、閲覧される全体画像は、表示領域（１１０）よりも幅が広い。こうした場合、スクロールボックス（１２０）が設けられ、典型的には表示領域（１００）の底部にそって設けられる。垂直スクロールボックスと同様に、水平スクロールボックス（１２０）には、アロー（左）（１２１）、アロー（右）（１２２）、及びスクロールサム（１２５）が設けられている。水平スクロールボックス（１２０）から得られる情報については、前記垂直スクロールボックス（１１０）と同じである。即ち表示領域（１００）内に存在する部分の画像全体に対するパーセンテージについての情報、及び画像のどの部分が現在表示されているかを表す情報についてである。図１に示す実施形態では、表示領域は画像全体に対して凡そ１／２のサイズである。そして、表示されている画像は、画像全体に対して凡そ中央の部分である。
【０００５】
ユーザーは、スクロースサム（１１５、１２５）を動かすことによって、表示領域内に表示される画像の部分を選択することができる。該選択は幾つかの方法で行うことができ、アロー（１１１、１１２、１２１、１２２）を用いる方法、スクロールサム（１１５、１２５）をドラッグする方法、またはスクロールボックス（１１０、１２０）をクリックする方法等が挙げられる。また、画像の閲覧可能部分を移動させる他の方法も知られており、これらについても本開示の範囲内に属するものとする。
【０００６】
幾つかの実施形態において、画像全体はテキスト、写真・絵等（ｐｉｃｔｕｒｅｓ）、またはこれらの組合せ（例えば新聞や雑誌のページ）であってよい。そして、これらのコンテンツを論理的に読者が閲覧できるようなやり方で画像全体を結果的に表示させることを目的として、スクロールバーを活用して、ユーザーは画像を操作することができる。
【０００７】
例えば、図２ａでは表示すべき画像全体（１５０）を図示している。ここで該画像は、表示領域（１００）と比べて幅も高さも大きいことに留意されたい。多くの場合、縁（１５５）が表示領域（１００）から外れてしまうがコンテンツ全体を読めるようにする目的で、スクロールサム（１２５）を用いてユーザーは画像を水平に操作する。こうした設計を図２ｂに示す。全体画像（１５０）が図示されており、その一部が表示領域（１００）内に表示されている。そして、該表示領域部分がクロスハッチされて表示されており、ここがユーザーに見える部分となる。垂直方向のサイズに関する問題に対処する場合、底部が表示領域（１００）に見えるようになるまで、ユーザーは単純に垂直のスクロールサム（１１５）を使用して画像を下に移動させればよい。
【０００８】
無論、前記画像が表示領域よりも幅が大きい場合には、ユーザーは、水平スクロールサム（１２５）を継続的に移動させて画像にアクセスすることが必要になる可能性がある。また、新聞等の別のケースでは、画像が複数の段組み（ｃｏｌｕｍｎｓ）を有する可能性もあり、ユーザーは垂直スクロールサム（１１５）を用いて、１つの段組みを先頭から終わりまで読み、その後水平スクロールサム（１２５）を動かして次の段組の文章を読むために前記プロセスを繰り返す。
【０００９】
単一のページのナビゲーションのほか、複数のページ間をナビゲートする仕組みも存在する。図３では、文書のページ間を容易にユーザーが移動することを可能にするための、ありふれたインターフェースが表示されている。表示領域（２００）の近くには、１群のコントロールを配置している。該コントロールには、「次ページ」ボタン（２１０）が含まれる。さらに、前記コントロールには、以下の１以上のボタンが含まれる：「前ページ」（２１２）；「先頭ページ」（２１４）；及び「最終ページ」（２１６）。これらのコントロールを操作することによって、ユーザーは文書の中を前後に移動することができる。別の実施形態において、前記１組のコントロールには、特定のページ番号に移動することを可能にし、かつユーザーが入力可能な領域（２１８）が挙げられる。
【００１０】
明らかなことではあるが、上述したナビゲーションの概念は相互に関連して使用することができる。このようなシナリオとして、ユーザーは特定のページに素早く移動し、該ページ内を移動するためにスクロールバーを利用することができる。
【００１１】
さらに最近になって、タッチスクリーン装置では表示領域上の画像を閲覧するための新たな方法を導入している。幾つかの実施形態では、表示領域に適合するように設計された、縮小バージョンの画像を該装置が表示している。そして、ユーザーは、指操作で表示領域内の画像を拡大させることができる。同様に、ユーザーは逆の指操作によって画像を縮小させることができる。ピンチズーム等の操作がこうした機能を提供するために用いられる。また、スワイプ等の他の指操作が、画像を任意の方向に動かすためにユーザーによって使用される。例えば、ユーザーは表示領域の中央に指をおき、右方向に指をスワイプすることができる。そして、装置は該操作を解釈して、画像を右方向に移動させるように表示する。換言すれば、現在の表示領域の左側の画像が、今度は表示領域内に設置されることになる。また、時計回りや反時計回りに回転させる等の他の指操作が、表示領域に表示されている画像をコントロールするために使用される。
【発明の概要】
【発明が解決しようとする課題】
【００１２】
このように、表示領域に表示された画像を操作するための様々な方法があるにも関わらず、巨大な文書や画像を簡単にナビゲートする方法に関する課題が残っている。従って、巨大な文書や画像をさらに簡単にナビゲートするシステム及び方法を開発することは有益であろう。より具体的にいえば、文書のページに関する複数のフレームを自動的にナビゲートするシステムや方法が開発されれば有利であろう。
【課題を解決するための手段】
【００１３】
前記従来技術の課題は、ターゲット装置上でコンテンツのページをナビゲートする本発明のシステム及び方法によって克服される。前記ターゲット装置は、コンテンツページよりも通常小さい表示領域を備えている。そして、ユーザーがスクロールバーや指操作を行うのではなく、複数のフレームに関する予め決められたシーケンスをユーザーに提示する。ここで、フレームは１つのページの中から予め選択された部分である。ユーザーは、現時点でのフレームを読み終わったり見終わったしたかどうかを単純に伝え、その後に表示領域内に次のフレームが提示される。こうした所定のシーケンスをコンテンツプロバイダーまたは著者が作成し、コンテンツとフレームシーケンスの両方をサーバーにアップロードし、潜在ユーザーは該シーケンスにアクセスすることができる。
【００１４】
本開示内容をより深く理解できるよう、添付した図面について言及し、本明細書中に組み込む。
【図面の簡単な説明】
【００１５】
【図１】スクロールバーを備えた表示領域を表す。
【図２ａ】表示領域及び表示される画像を表す。
【図２ｂ】表示領域及び表示される画像を表す。
【図３】表示領域と、該表示領域中に表示される画像をコントロールするために使用される１組のコントロールとを表す。
【図４ａ】表示される画像を表す。
【図４ｂ】表示される画像を表す。
【図４ｃ】表示される画像を表す。
【図４ｄ】表示される画像を表す。
【図５ａ】著者によって選択された閲覧用の複数のフレームを備える画像を表す。
【図５ｂ】著者によって選択された閲覧用の複数のフレームを備える画像を表す。
【図５ｃ】著者によって選択された閲覧用の複数のフレームを備える画像を表す。
【図５ｄ】著者によって選択された閲覧用の複数のフレームを備える画像を表す。
【図６】フレームナビゲーションシーケンスを確立するために著者が使用するシーケンスを示すフローチャートを表す。
【図７】アプリケーションによって保存される情報を表す。
【図８】フレームナビゲーション情報を保存するために使用されるファイルを表す。
【図９】画像を表示するためにユーザーが使用するステップのフローチャートを示す。
【発明を実施するための形態】
【００１６】
上述したように、表示領域中に表示される画像をユーザーがナビゲートするために幾つかの方法が用いられてきた。しかし、これらの方法は不便で扱いづらい。また、グラフィックスや新聞タイプのレイアウトなど、特定種の画像を表示するのに理想的で適切なものとは言いがたい。なお、本開示において使用される用語「画像」とは、表示装置上に表示することができる任意の情報を表現したものを意味する。そして、画像には、グラフィックス、写真・絵等、テキスト、図、イラスト、及び任意の他の視覚情報が含まれる。また、必ずしもそうだとは限らないが、多くの実施形態の場合、表示される前記画像は、（水平方向、垂直方向、又はその両方において）該画像が閲覧される表示領域よりも大きい。
【００１７】
こうしたジレンマに対する１つの解決策は、複数のフレームに関する適切なシーケンスを、コンテンツの中から、著者又はプロバイダーが定義することを可能にすることである。そして、前記シーケンスについて、連続性を保ちながら前記画像を容易にユーザーがナビゲートすることを可能にすることである。例えば、図４ａでは、表示領域（３１０）よりもかなり大きい画像（３００）を示している。従来技術では、スクロールバーをユーザーが利用したり、（タッチスクリーン上での）指操作をユーザーが利用したりして、画像全体をナビゲートすることが通常は必要となるだろう。
【００１８】
図４ｂでは第一のオーバーレイ（３２０ａ）を示しており、ここで画像（３００）上に表示領域（３１０）を重ね合わせている。ここで、クロスハッチで表されているように、画像の小部分のみが閲覧可能となっている点に留意されたい。また、図４ｃでは、ここでもクロスハッチで表されているが、画像（３００）に関する第二のオーバーレイ（３２０ｂ）を示している。そして、該オーバーレイは、前記第一のオーバーレイ（３２０ａ）に隣接している。さらに、図４ｄでは３つのオーバーレイ（３２０ａ、ｂ、ｃ）を示しており、これらを結合すると、全体の画像（３００）を含む状態になる。
【００１９】
上述したように、著者はフレームに関する適切なシーケンスを作成するが、この点については、後でより詳しく述べることにする。その後、ユーザーが画像を閲覧すると、オーバーレイ（３２０ａ）が表示領域に提示される。そして、表示された画像をユーザーが完全に読み終えた後、該ユーザーは、次のフレームに移動することを望む旨の指示を行う。該指示の方法として、例えば指操作の利用、「次のフレーム」ボタンの押下若しくは「次のフレーム」のディスプレイ領域の押下、又は他の任意の適切な方法を使用することが挙げられる。（こうした指示の後、）第二のオーバーレイ（３２０ｂ）が自動的に表示される。そして、再度ユーザーが該画像を読み終えた旨の指示をだすと、第三のオーバーレイ（３２０ｃ）が表示される。従って、ユーザーは、オーバーレイからオーバーレイへ、過度の煩わしさや動作もなく容易に移動することができる。
【００２０】
図５ａはより複雑なレイアウト（３５０）を示しており、漫画のコマ（３５５ａ〜ｅ）を複数有している。そして、関連する１組のオーバーレイ（３６０ａ〜ｆ）を作成することができる。ここで、前記オーバーレイ（３６０ａ〜ｆ）全体は、前記画像全体（３５０）を包含する必要がないことに留意されたい。そして、当該例においては、前記画像（３５０）の多くの部分がユーザーに見えるようになっていない。また、ユーザーは最初にオーバーレイ（３６０ａ）を見て、その後順番に残りの５つのオーバーレイを見ることになるだろう。
【００２１】
更に、図５には示していないが、前記複数のオーバーレイは互いに重なっても良い。図５ｂでは、第二の組のオーバーレイ（３６５ａ〜ｆ）を有する様々な漫画コマ（３５５ａ〜ｅ）を示している。ここで、著者は、図５ｂ中のコマ（３５５ｄ）に関して、２つのオーバーレイ（３６５ｄ〜ｅ）を有するように選択することができる点に留意されたい。該コマは、前記２つのオーバーレイよりも小さいため、これらのオーバーレイは必然的に互いに重なることになる。
【００２２】
別の実施形態において、前記複数のオーバーレイは異なる配向で定義してもよい。図５ｃは２つの追加オーバーレイ（３７０ａ〜ｂ）を示しており、該オーバーレイは他のオーバーレイ（３６５ａ〜ｆ）と同じサイズである。しかし、該２つの追加オーバーレイは横向きに配置されている。ここでも同様に、コマ（３５５ａ）のサイズが原因となって、２つの横向きのオーバーレイ（３７０ａ〜ｂ）は互いに重なっている。
【００２３】
図６はフローチャートを示しており、フレームナビゲーションシステムを設定する際に、コンテンツプロバイダーや著者によって利用されるステップを表している。該フローチャートは、ソフトウェアプログラムと関連付けられており、任意の適切なプラットフォームで実行することができる。一実施形態において、ソフトウェアは、ＰＣ又はサーバー上のストレージデバイス上に書き込まれ保存され、その後ここで実行される。しかし、該ソフトウェアは任意の書込み可能な保存媒体に保存することができ、例えばＲＡＭ、ＲＯＭ、ディスクドライブ、ＳＳＤ（ｓｏｌｉｄ  ｓｔａｔｅ  ｄｉｓｋ  ｄｒｉｖｅｓ）、メモリースティック、及びその他のデバイスが挙げられる。また、前記ソフトウェアプログラムは、任意の適切なコンピューティングシステムで実行することができる。さらに、該コンピューティングシステムは、任意のオペレーティングシステムを実行することができ、Ｕｎｉｘ（登録商標）、Ｌｉｎｕｘ（登録商標）、及びＷｉｎｄｏｗｓ（登録商標）等が挙げられるがこれらに限定されない。
【００２４】
図６に戻り、ステップ（４００）において、コンテンツプロバイダー又は著者は、コンピューティングシステム上に存在するデータベースにコンテンツ又は刊行物をアップロードする。該コンテンツ又は刊行物は任意の型式でよく、テキストやグラフィック又はこれらの組合せ等が含まれる。ある実施形態では、該コンテンツは漫画であり、イメージとテキストの両方を有する。
【００２５】
一旦前記コンテンツがデータベースにアップロードされると、ステップ（４１０）に示すように、新たな該コンテンツを記述するメタデータを著者が入力することができる。該メタデータとして、タイトル、著者の名前、出版日、購入価格、ページ数、版数、及び他のデータ等が含まれる。これらのデータは、キーワードや他の検索パラメータを使用することなどにより検索され、そして見込みのあるユーザーや購入者がコンテンツを特定することを補助する。
【００２６】
その後、ステップ（４２０）にて、新たなコンテンツ用のカバーとして使用される画像を著者がアップロードすることができる。該カバーは、従来のブックカバーでもよいし、中身とは完全に切り離された美術作品であってもよい。コンテンツ及び関連するメタデータをアップロードし、該コンテンツにカバー作品を追加することは、歌、アルバム及びゲーム等のエンターテイメント分野では周知慣用技術である。
【００２７】
コンテンツ、カバー及びメタデータをアップロードした後、今度は、ユーザー又は読者が使用するためのフレームナビゲーションを著者が作成する。一実施形態において、ステップ（４３０）に示すように、複数のページは順番に連続して著者に提示される。前記ページはデフォルトサイズで提示される。実際のページ又は画像のほかに、ターゲットユーザー装置の表示領域を表すアウトライン又はテンプレートを著者は閲覧することができる。例えば、コンテンツは標準レターサイズ（８．５×１１インチ）であってもよいが、ターゲット装置の表示領域はそれよりもだいぶ小さい。一実施形態において、ターゲット装置は、Ａｐｐｌｅ社のｉＰｏｄ  Ｔｏｕｃｈ（登録商標）、Ｐａｌｍ  Ｐｒｅ、Ａｎｄｒｏｉｄ（登録商標）、又は、より小さい表示領域を有する同様のＰＤＡであってもよい。
【００２８】
一実施形態において、アプリケーションが特定のターゲット装置向けに意図されたものである場合には、前記表示領域（の仕様）は固定されたものとなる。従って、該実施形態において、前記テンプレートは、ただちに著者にとって利用可能なものとなる。別の実施形態では、表示領域の配向（ノーマル又は横向き）並びにサイズ（高さ及び幅）を定義するよう著者に求めることができる。表示領域のサイズ及び配向を確定すれば、その後、著者は前記テンプレートを使用することができ、画像のシーケンスを作成することができる。ここで、該画像はユーザー又はコンテンツ購入者が連続して閲覧するために使用される複数のフレーム又はそれらのシーケンスを決定するものである。例えば、ステップ（４４０）に示すように、著者は、表示領域のテンプレートを、ページ又は画像上の所望の位置に移動させる。そして、一旦テンプレートが所望の位置になったら、著者は、「保存」をクリック又は同様の方法等により該位置を選択したことを伝える。こうした動作により、アプリケーション側にフレームを保存する旨の情報が伝えられる。その後、条件分岐（４５０）に示すように、現在のページに関して所望の回数だけこのプロセスを繰り返す。例えば、図５ａに示す画像は、該画像のシーケンス内に合計６つの保存したフレームを有する。また、上述したように、全てのフレームの合計は必ずしもコンテンツページ全体である必要は無い。そして、必要であれば、ページの一部が複数回表示されるように、複数のフレームが重なっても良い。
【００２９】
別の実施形態では、著者はフレームの倍率を指定することもできる。換言すれば、図５ａに示すような元々のサイズで６つのフレーム表示するのではなく、著者はこれらを拡大又は縮小することができる。例えば、著者は、画像のサイズを縮小することにより、フレーム中に示される情報量を増加させようとしてもよい。換言すれば、従来のソフトウェアアプリケーションにおいて「ズーム」設定１００％未満を選択することと同じである。こうした設定により、鮮明さと精度が損なわれるものの、より多くの情報を表示することが可能となる。或いは、著者は画像を拡大してもよく、又は１００％を超える倍率を選択する「ズーム」を行ってもよい。この場合、表示領域上に示される情報は少なくなる。しかし、通常より大きく表示することができる。また、該実施形態において、テンプレートは、あるアスペクト比を有しており、典型的には高さを幅で割った値で定義される。そして、テンプレートの倍率又は「ズーム」を変更しても、テンプレートのアスペクト比は固定されたままである。
【００３０】
図５ｄでは、図５ａのページを示しており、フレームの大きさが変更されている。例えば、当該例において、フレーム（３８０ａ）は倍率を７０％に設定する等によりズームアウトしている。また、フレーム（３８５ａ、３８５ｆ）は変更なしで、１００％の倍率となっている。そして、フレーム（３８５ｂ、３８５ｅ）はそれぞれ１２０％、１４０％の設定で拡大されている。さらに、フレーム（３８５ｃ）は、コマ（３５５ｃ）全体が表示領域内に見えるようにズームアウトされている。こうしたことは、約８０％など倍率を縮小することによって達成される。
【００３１】
フレームナビゲーションシーケンスを作成する際に、著者は最初にズームレベルを選択する。こうした選択は、クリックホイールを使用したり、特定の値を入力したり、所定の倍率を選択したり、＋又は−のキーストロークを使用したり、又は当分野で公知である他の方法を利用したりすることによって行うことができる。こうした操作により、表示領域のテンプレートの効果的なサイズを変更することができ、著者にとってはフレーム内に画像がどの程度見えるかが分かるようになる。一旦著者がフレームを保存すると、ファイルはこうした情報とともに更新される。
【００３２】
著者が意図するフレームシーケンスを連続してユーザーに提示するための充分な情報を、ソフトウェアアプリケーションは保存する。保存される情報には、ページ番号、フレームの角又は中心等の（ページ上で測定された）座標、シーケンス番号等の項目が含まれる。図７は、図５ａに関連するフレームナビゲーション情報を示すリストの一表現形態を表したものである。
【００３３】
図８は、設定プロセス中に作成することができるＸＭＬファイルのサンプルを示す。該実施形態において、すべてのフレームは１つのページ番号と関連づけられる。また、装置の処理ユニットはページ全体の画像を含むファイルのパス及び名称を解析する。そして、一旦処理ユニットがこうしたステップを実行し、前記ページを含むファイルの位置を特定すると、その後はフレームの連続表示処理を開始する。この例において、１つのフレームは、その中心の位置及びズームレベルによって同定される。そして、表示領域内には画像内の該当する部分が表示される。ユーザーからの入力があると、その後処理ユニットはリスト中の次のアイテムに移動し、その中心位置及びズームレベルを利用する。一旦リスト中のアイテムが全て表示されると、処理ユニットは次のページへ移動し、前記プロセスを繰り返す。
【００３４】
また、プラットフォーム、アプリケーションの要求、及びコンテンツの制限等に基づいて、他のアルゴリズムを使用して、フレームの識別内容及びシーケンス情報を保存及び操作することができる。例えば、ソフトウェアアプリケーションは、元のコンテンツページを参照するのではなく、各フレームのコンテンツを独立して保存することができ、特定の装置からの要求に応じて調整することができる。
【００３５】
図６に戻り、一旦、著者が特定のページに関して設計された全てのフレームを選択・保存すると、ステップ（４３０〜４５０）に示すように、次のページへ移動し、同じことを順次繰り返す。こうしたプロセスは、出版物全体が著者又はコンテンツプロバイダーによって適切に設定されるまで繰り返される。かくして、設定が完了する。そして、コンテンツは、著者によって定義されたフレームナビゲーションシーケンスとともに、データベース又は他の保存メカニズム中に保存される。
【００３６】
一実施形態において、著者はページを連続した順番で作成している。換言すれば、フレームシーケンスはページ１に関して生成され、その後ページ２等が続く。そして、こうしたシーケンスは、ユーザーがコンテンツを閲覧したときにも繰り返される。該実施形態は、例えば本など、連続して読まれるコンテンツではありふれたものである。別の実施形態では、フレーム及びページは非連続的な順序で保存することができる。例えば、新聞や雑誌等の出版物をコンテンツプロバイダーがアップロードする場合を想定されたい。これらの種のコンテンツは、異なるページ上に続くリンクを有していることがよくある。従って、記事の開始ページ終了ページに関係なく、最初から最後まで記事が表示されるべくコンテンツが表示されるよう、著者はフレームナビゲーションを設定することができる。記事全体が表示された後は、フレームナビゲーションは元のページに戻り、追加のニュース記事を続けることができる。
【００３７】
別の実施形態では、従来のナビゲーション技術と、本明細書で記述したフレームナビゲーション技術とを組み合せて使用する。例えば、新聞のシナリオを想定されたい。また、新聞のページが通常は縮小サイズでユーザーのターゲット装置上に表示されることを想定されたい。従来技術を用いて、ユーザーは対象となる記事を指定する。特定の記事を選択する操作によって、上述したフレームナビゲーションソフトウェアが作動し、その後上述したように記事がフレームごとに表示される。
【００３８】
該プロセスの結果はＺＩＰファイルと類似した出力ファイルとなる。前記出力アーカイブファイルは、特定の出力又は出版物とユニークに対応する画像ディレクトリ及びＸＭＬファイル等から構成される。こうしたファイルは、ユーザーのターゲット装置上にダウンロードする目的に適しており、該装置において処理され、デフラグされ、順番通りに並べられる。そして、ライブラリー、「オンデバイス生成」サムネイル、及びＸＭＬディレクトリ等の該装置必要領域に全て配置される。例えばＸＭＬファイルは、ＬｉｎｕｘやＷｉｎｄｏｗｓベースのコンピューター等のサーバー上に保持することができる。そして、コンテンツを得たいユーザーは、該ファイルをユーザーのターゲット装置にダウンロードすることができる。コンテンツの伝送には料金がかかるかもしれないが、本発明に関係することではない。また、ファイルはターゲット装置にダウンロードされるが、幾つかの既存の仕組みのうち一つが用いられる。ある実施形態においては、ターゲット装置は（８０２．１１ｂ等の）無線機能を有しており、インターネットからファイルをダウンロードすることができる。別の実施形態では、ターゲット装置は、ケーブル又は他の媒体を用いてコンピュータと接続されている。そして、ファイルはコンピューターから該装置へ伝送される。データを転送する他の方法も知られており、本発明の範囲内に属するものである。
【００３９】
ターゲット装置には様々な種類があり、Ａｐｐｌｅ社のｉＰｏｄ  Ｔｏｕｃｈ、ＰＤＡ、携帯電話、タブレット装置、及び幾つかのコンピューティング機能を備える他の携帯装置等が挙げられる。ある実施形態において、マルチタッチサポートが設けられている。ある実施形態において、多言語サポートを設けてよく、例えば、英語、フランス語、ドイツ語、日本語、オランダ語、イタリア語、スペイン語、ポルトガル語、デンマーク語、フィンランド語、ノルウェー後、スウェーデン語、韓国語、簡体中国語、繁体中国語、ロシア語、ポーランド語、トルコ語、及びウクライナ語等が挙げられるがこれらに限定されない。幾つかの実施形態において、前記装置は１種以上の中核言語をサポートしており、例えばＣ＋＋、Ｃｏｃｏａ、ＸＭＬ、Ｊａｖａｓｃｒｉｐｔ（登録商標）、ｊＱｕｅｒｙ、ＨＴＭＬ、及びＣＳＳ等が挙げられるがこれらに限定されない。
【００４０】
一旦ファイルがターゲット装置にダウンロードされると、その後ファイルが解凍され、処理され、ターゲット装置の各関連領域に配置される。これらのことが完了すると、ユーザーはその後ダウンロードしたファイルを選択し、選択したページを閲覧し、そして所与のコントロールを用いて上述したようにフレームをナビゲートする。
【００４１】
図９は、画像を表示するためにユーザーが使用するステップのフローチャートを示す。上述のように作成された画像を閲覧するには、ユーザーは、ボックス（７００）に示すように、ターゲット装置上のアプリケーションの実行をただ開始すればよい。ある実施形態において、ユーザーは対象となるアプリケーションを表示するアイコン上のスクリーンをタップすればよい。またある実施形態では、ユーザーは実行するアプリケーションの名称を入力する。アプリケーションを起動するために使用されるこのような仕組み或いは他の仕組みは当分野では周知である。一旦起動すると、ボックス（７１０）に示すように、アプリケーションはユーザーに表示するコンテンツを選択するように求めることができる。ある実施形態では、利用可能なコンテンツのリストが表示領域上に表示される。またある実施形態では、コンテンツの写真又は他のグラフィカルなコンテンツの表現物を表示したメニューがターゲット装置上に表示される。ユーザーは、ボックス（７２０）に示すように、通常用いられる任意の方法を用いて所望のコンテンツを選択する。該任意の方法としては、例えば、特定のファイル名を入力したり、所望のファイルを表す名前又はアイコンをクリック（タップ）したり、又は他の方法等が挙げられる。一旦所望のコンテンツが選択されると、ボックス（７３０）に示すように、アプリケーションは画像に関する第一のフレームを表示領域中に表示する。そして、該画像（フレーム）は、決定ボックス（７４０）に示すように、次のフレームに表示を進める旨の指示を受け取るまでは、表示領域中に維持される。ある実施形態では、前記指示はユーザーからの指示であってもよく、例えば、表示領域のタップ、又はマウス若しくはキーボード等の入力装置を介した情報の入力等が上げられる。またある実施形態では、前記指示は所定の時間を経過したことによるものであってもよい。このモードにおいては、おおよそ一般的なスライドショータイプのアプリケーションのように、画像は自動的に順番通り表示される。
【００４２】
別の実施形態では、本発明のナビゲーションシステムは、他の従来技術のシステムと組み合される。例えば、本発明のシステムは、ページセレクターと関連して使用することができる。このことにより、ユーザーは特定のページを選択して閲覧を開始することが可能となる。また、このことにより、前の画像を全てもう一度閲覧することなく、何回も特定のコンテンツを閲覧することが可能となる。
【００４３】
本開示は、本明細書中に記述した特定の実施形態によってその範囲が制限されるものではない。実際、本明細書中に記載した実施形態のほかにも、他の様々な実施形態及び本開示の改変形態があることは、上記記載や添付図を見れば当業者にとって明白であろう。従って、こうした他の実施形態及び改変形態も、本開示の範囲内に属することを意図している。また、本開示については、特定の目的・特定の環境・特定の実施というコンテクストで本明細書中に記述をしてきた。しかし、本発明の有用性は上述したものに限定されるものではないこと、そして、本開示は任意の環境・任意の目的で有益に実施可能であることを当業者は理解するであろう。従って、別途明示する特許請求の範囲については、本明細書に記述した開示内容の完全な広がり及び思想の観点から解釈すべきである。
【符号の説明】
【００４４】
１００  表示領域
１１０  スクロールボックス（垂直）
１１１  アロー（上）
１１２  アロー（下）
１１５  サム
１２０  スクロールボックス（水平）
１２１  アロー（左）
１２２  アロー（右）
１２５  サム
１５０  画像全体
１５５  縁
２００  表示領域
２１０  次ページボタン
２１２  前ページボタン
２１４  先頭ページ
２１６  最終ページ
２１８  ユーザーが入力可能な領域
３００  画像
３１０  表示領域
３２０ａ  第一のオーバーレイ
３２０ｂ  第二のオーバーレイ
３５０  レイアウト
３５５ａ〜ｅ  漫画のコマ
３６０ａ〜ｆ  関連するオーバーレイ
３６５ａ〜ｆ  オーバーレイ
３７０ａ〜ｂ  追加オーバーレイ
３８０ａ  フレーム
３８５ａ〜ｆ  フレーム
【図１】
2012523042.tif 000003
【図２ａ】
2012523042.tif 000004
【図２ｂ】
2012523042.tif 000005
【図３】
2012523042.tif 000006
【図４ａ】
2012523042.tif 000007
【図４ｂ】
2012523042.tif 000008
【図４ｃ】
2012523042.tif 000009
【図４ｄ】
2012523042.tif 000010
【図５ａ】
2012523042.tif 000011
【図５ｂ】
2012523042.tif 000012
【図５ｃ】
2012523042.tif 000013
【図５ｄ】
2012523042.tif 000014
【図６】
2012523042.tif 000015
【図７】
2012523042.tif 000016
【図８】
2012523042.tif 000017
【図９】
2012523042.tif 000018
【国際調査報告】
2012523042.tif 000019